【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
無菌的な昆虫段階の寄生生物の生成のための装置であって：
滅菌可能な壁で囲まれたチャンバであって、該チャンバは気密空間を提供し、該チャンバは、第一の昆虫飼育サブチャンバおよび第二の血液ミールサブチャンバに分割可能である、チャンバ；
表面を滅菌した昆虫卵からの幼虫、さなぎ、および成体昆虫の成長を補助するための該第一のサブチャンバ内のレザバ；および
成体昆虫が寄生生物に感染した血液を消費することを可能にする該第二のサブチャンバ内の血液供給ステーション、
を備える、装置。
【請求項２】
前記チャンバへの流体の導入のために、前記チャンバ壁を通過することを目的として延びる複数の管をさらに備える、請求項１に記載の装置。
【請求項３】
前記管のうちの一つが、前記レザバ中に滅菌幼虫飼育ブロスを導入するよう適合されている、請求項２に記載の装置。
【請求項４】
前記表面を滅菌した昆虫卵を支持するための潜水性浮遊物を前記レザバ中にさらに備える、請求項３に記載の装置。
【請求項５】
前記成体昆虫に供給するための糖質供給レザバを前記チャンバ中に有する、請求項１に記載の装置。
【請求項６】
前記糖質供給レザバが、芯ベースまたは溝ベースである、請求項５に記載の装置。
【請求項７】
前記管のうちの一つが、血液を温めるための手段を有する、請求項２に記載の装置。
【請求項８】
前記第一サブチャンバおよび第二サブチャンバが、操作可能なドアにより、互いに隔てられている、請求項１に記載の装置。
【請求項９】
無菌的な昆虫段階の寄生生物の生成方法であって：
無菌的な囲まれたチャンバを提供する工程であって、該チャンバは、第一の昆虫飼育サブチャンバおよび第二の血液ミールサブチャンバに分割可能である、工程；
該第一のサブチャンバに無菌的な幼虫飼育レザバを提供する工程；
表面を滅菌した昆虫卵を該幼虫保持サブチャンバに入れる工程；
該表面を滅菌した昆虫卵を成体昆虫に成長させ、該第二のサブチャンバに入れる工程；および
該第二のサブチャンバにおいて該寄生生物に感染した無菌血液ミールを該成体昆虫に提供し、寄生生物感染成体昆虫を生成する工程、
を包含する、方法。
【請求項１０】
請求項９に記載の方法であって、
前記寄生生物感染成体昆虫を屠殺する工程；
該屠殺した成体昆虫から寄生生物感染唾液腺物質を切り出す工程；および
該切り出した寄生生物感染唾液腺物質をプールする工程、
をさらに包含する、方法。
【請求項１１】
請求項９に記載の方法であって：
前記寄生生物感染成体昆虫を照射して、弱毒化寄生生物を保有する照射された寄生生物感染成体昆虫を生成する工程、
をさらに包含する、方法。
【請求項１２】
請求項１１に記載の方法であって：
前記照射した寄生生物感染成体昆虫を屠殺する工程；
該屠殺した照射成体昆虫から寄生生物感染唾液腺物質を切り出す工程；および
該切り出した寄生生物感染唾液腺物質をプールする工程、
をさらに包含する、方法。
【請求項１３】
前記提供する工程がさらに、前記無菌血液ミールを温める工程を包含する、請求項９に記載の方法。
【請求項１４】
前記血液ミールが、生殖母細胞段階寄生生物を含む、請求項１３に記載の方法。
【請求項１５】
前記提供する工程の後に、前記成体昆虫を気絶させる工程をさらに包含する、請求項１４に記載の方法。
【請求項１６】
前記成体昆虫がＡｎｏｐｈｅｌｅｓ蚊である、請求項１５に記載の方法。
【請求項１７】
前記寄生生物が、Ｐｌａｓｍｏｄｉｕｍ  ｆａｌｃｉｐａｒｕｍ、Ｐｌａｓｍｏｄｉｕｍ  ｖｉｖａｘ、Ｐｌａｓｍｏｄｉｕｍ  ｏｖａｌｅ、およびＰｌａｓｍｏｄｉｕｍ  ｍａｌａｒｉａｅからなる群より選択される、請求項１６に記載の方法。
【請求項１８】
昆虫の噛みつき挙動を評価するための装置であって：
矩形区画のアレイであって、該矩形区画が一匹の昆虫を収容し得る、アレイ；
該矩形区画の上部分にある複数のハッチであって、該ハッチが、該矩形区画の内部へのアクセスを可能にするよう適合されている、ハッチ；および
該矩形区画のアレイの底部分にある金属メッシュであって、該メッシュは、昆虫が、該金属メッシュの反対側の表面を噛みつくことを可能にするよう適合されている、メッシュ、
を備える、装置。
【請求項１９】
低アレルギー性の吸血昆虫の養殖方法であって：
吸血昆虫を皮膚断片に曝す工程；
該吸血昆虫により該皮膚断片上に噛み傷を負わせる工程；
該噛み傷に対して皮膚断片のアレルギー応答のセットを割り当てる工程；および
該アレルギー応答のセットに基づき、良性のアレルギー応答のセットを生じる昆虫のセットを選択する工程、
を包含する、方法。
【請求項２０】
前記選択する工程の後に、前記良性のアレルギー応答のセットを生じる昆虫のセットを交雑繁殖する工程をさらに包含する、請求項１９に記載の方法。
【請求項２１】
前記吸血昆虫が蚊である、請求項２０に記載の方法。
【請求項２２】
昆虫段階の感染性寄生生物を形成する増強された能力を有する吸血昆虫系統を養殖する方法であって：
吸血昆虫群に血液ミールを提供する工程であって、該血液ミールが感染性寄生生物を含む、工程；
該吸血昆虫群に卵を産ませる工程；
該吸血昆虫群を屠殺する工程；
該吸血昆虫群の各メンバーにより支持された感染性寄生生物の数を測定する工程；
該測定する工程に基づき、より多くの感染性寄生生物を支持し得る吸血昆虫群の部分集団を選択する工程；および
該より多くの感染性寄生生物を支持し得る吸血昆虫群の部分集団を交雑繁殖させる工程、
を包含する、方法。
【請求項２３】
前記吸血昆虫が蚊である、請求項２２に記載の方法。
【請求項２４】
前記感染性寄生生物が、Ｐｌａｓｍｏｄｉｕｍ  ｆａｌｃｉｐａｒｕｍ、Ｐｌａｓｍｏｄｉｕｍ  ｖｉｖａｘ、Ｐｌａｓｍｏｄｉｕｍ  ｏｖａｌｅ、およびＰｌａｓｍｏｄｉｕｍ  ｍａｌａｒｉａｅからなる群より選択される、請求項２３に記載の方法。
【請求項２５】
凍結保存耐性Ｐｌａｓｍｏｄｉｕｍ種スポロゾイトを生成する方法であって：
Ａｎｏｐｈｅｌｅｓ蚊に血液ミールを供給する工程であって、該血液ミールは、Ｐｌａｓｍｏｄｉｕｍ種生殖母細胞に感染されている、工程；
該Ｐｌａｓｍｏｄｉｕｍ種生殖母細胞をスポロゾイトに成長させる工程；
該Ａｎｏｐｈｅｌｅｓ蚊から該Ｐｌａｓｍｏｄｉｕｍ種スポロゾイトを抽出する工程；
該Ｐｌａｓｍｏｄｉｕｍ種スポロゾイトを凍結する工程；
該Ｐｌａｓｍｏｄｉｕｍ種スポロゾイトを解凍する工程；および
生存に成功した該Ｐｌａｓｍｏｄｉｕｍｕ種スポロゾイトを飼育する工程、
を包含する、方法。
【請求項２６】
前記凍結する工程がさらに、前記Ｐｌａｓｍｏｄｉｕｍ種スポロゾイトを、摂氏０度付近の温度で維持する工程を包含する、請求項２５に記載の方法。
【請求項２７】
前記摂氏０度付近の温度が、約摂氏−５〜０℃である、請求項２６に記載の方法。
【請求項２８】
超低容量ワクチンの注射のための装置であって：
複数の微小針；
該複数の微小針に操作可能に接続された、ワクチン溶液を保持し得るレザバ；
該レザバを覆う、弾性プレート；および
プラスチックキャップであって、該プラスチックキャップは該弾性プレートの上から該レザバに取り付けられ、さらに、該プラスチックキャップは、通常の注射器に取り付け可能な雌型ドッキングポートを備える、キャップ、
を備える、装置。
【請求項２９】
前記微小針が、低容量ワクチンを送達するよう適合された複数の微小孔を備える、請求項２８に記載の装置。
【請求項３０】
無菌的な吸血昆虫であって、該昆虫は、濾過した空気、滅菌水および滅菌栄養を含む滅菌環境において、表面を滅菌した卵から成長した、昆虫。
【請求項３１】
前記昆虫がＡｎｏｐｈｅｌｅｓ種の蚊である、請求項３０に記載の昆虫。
【請求項３２】
無菌的な昆虫段階の寄生生物をさらに含む、請求項３１に記載の昆虫。
【請求項３３】
前記寄生生物がＰｌａｓｍｏｄｉｕｍ種スポロゾイトである、請求項３２に記載の昆虫。
【請求項３４】
前記スポロゾイトがＰ．ｆａｌｃｉｐａｒｕｍ、Ｐ．ｖｉｖａｘ、Ｐ．ｏｖａｌｅ、およびＰ．ｍａｌａｒｉａｅからなる群より選択される、請求項３３に記載の昆虫。
【請求項３５】
無菌的な昆虫段階の寄生生物であって、該寄生生物は、宿主昆虫内で培養されている、寄生生物。
【請求項３６】
前記昆虫が無菌的である、請求項３５に記載の寄生生物。
【請求項３７】
前記昆虫が、濾過した空気、滅菌水および滅菌栄養を含む滅菌環境において、表面を滅菌した卵から成長した昆虫である、請求項３６に記載の寄生生物。
【請求項３８】
前記寄生生物がＰｌａｓｍｏｄｉｕｍ種スポロゾイトである、請求項３５に記載の寄生生物。
【請求項３９】
前記スポロゾイトがＰ．ｆａｌｃｉｐａｒｕｍ、Ｐ．ｖｉｖａｘ、Ｐ．ｏｖａｌｅ、およびＰ．ｍａｌａｒｉａｅからなる群より選択される、請求項３６に記載の寄生生物。
【請求項４０】
無菌的な吸血昆虫であって、該昆虫は、弱毒化吸血昆虫段階の寄生生物をさらに含む、昆虫。
【請求項４１】
前記昆虫が、Ａｎｏｐｈｅｌｅｓ種の蚊である、請求項４０に記載の吸血昆虫。
【請求項４２】
前記寄生生物が、Ｐｌａｓｍｏｄｉｕｍ種スポロゾイトである、請求項４１に記載の吸血昆虫。
【請求項４３】
前記Ｐｌａｓｍｏｄｉｕｍ種スポロゾイトが、Ｐ．ｆａｌｃｉｐａｒｕｍスポロゾイト、Ｐ．ｖｉｖａｘスポロゾイト、Ｐ．ｏｖａｌｅスポロゾイトおよびＰ．ｍａｌａｒｉａｅスポロゾイトからなる群より選択される、請求項４２に記載の吸血昆虫。
【請求項４４】
宿主昆虫から単離された、請求項３５〜３９のいずれかに記載の無菌的な寄生生物であって、該寄生生物は、該宿主昆虫内で培養されている、寄生生物。
【請求項４５】
吸血昆虫から単離された、弱毒化昆虫段階の寄生生物であって、該寄生生物は、該吸血昆虫内で培養されている、寄生生物。
【請求項４６】
前記昆虫が、Ａｎｏｐｈｅｌｅｓ種の蚊である、請求項４５に記載の単離された弱毒化昆虫段階の寄生生物。
【請求項４７】
前記寄生生物が、Ｐｌａｓｍｏｄｉｕｍ種スポロゾイトである、請求項４６に記載の単離された弱毒化昆虫段階の寄生生物。
【請求項４８】
前記Ｐｌａｓｍｏｄｉｕｍ種スポロゾイトが、Ｐ．ｆａｌｃｉｐａｒｕｍスポロゾイト、Ｐ．ｖｉｖａｘスポロゾイト、Ｐ．ｏｖａｌｅスポロゾイトおよびＰ．ｍａｌａｒｉａｅスポロゾイトからなる群より選択される、請求項４７に記載の単離された弱毒化昆虫段階の寄生生物。
【請求項４９】
請求項３５〜３９のいずれかに記載の無菌的な寄生生物であって、該寄生生物は、弱毒化されている、寄生生物。
【請求項５０】
吸血昆虫から単離された、無菌的な弱毒化昆虫段階の寄生生物であって、該寄生生物は、該吸血昆虫内で培養されている、寄生生物。
【請求項５１】
前記昆虫が、Ａｎｏｐｈｅｌｅｓ種の蚊である、請求項５０に記載の単離された無菌的な弱毒化昆虫段階の寄生生物。
【請求項５２】
前記寄生生物が、Ｐｌａｓｍｏｄｉｕｍ種スポロゾイトである、請求項５１に記載の単離された無菌的な弱毒化昆虫段階の寄生生物。
【請求項５３】
前記Ｐｌａｓｍｏｄｉｕｍ種スポロゾイトが、Ｐ．ｆａｌｃｉｐａｒｕｍスポロゾイト、Ｐ．ｖｉｖａｘスポロゾイト、Ｐ．ｏｖａｌｅスポロゾイトおよびＰ．ｍａｌａｒｉａｅスポロゾイトからなる群より選択される、請求項５２に記載の単離された無菌的な弱毒化昆虫段階の寄生生物。
【請求項５４】
吸血昆虫段階の寄生生物に基づく、マラリアに対するワクチンであって、該寄生生物は、宿主昆虫内で培養されている、ワクチン。
【請求項５５】
前記昆虫が無菌的である、請求項５４に記載のワクチン。
【請求項５６】
前記昆虫が、濾過した空気、滅菌水および滅菌栄養を含む滅菌環境において表面を滅菌した卵から成長した昆虫である、請求項５５に記載のワクチン。
【請求項５７】
前記寄生生物が、Ｐｌａｓｍｏｄｉｕｍ種スポロゾイトである、請求項５４に記載のワクチン。
【請求項５８】
前記スポロゾイトが、Ｐ．ｆａｌｃｉｐａｒｕｍスポロゾイト、Ｐ．ｖｉｖａｘスポロゾイト、Ｐ．ｏｖａｌｅスポロゾイトおよびＰ．ｍａｌａｒｉａｅスポロゾイトからなる群より選択される、請求項５７に記載のワクチン。
【請求項５９】
請求項５４〜５８のいずれかに記載のワクチンであって、前記無菌的な寄生生物は、宿主昆虫から単離され、該寄生生物は、該宿主昆虫内で培養されている、ワクチン。
【請求項６０】
吸血昆虫から単離された、無菌的な弱毒化昆虫段階の寄生生物に基づく、マラリアに対するワクチンであって、該寄生生物は、該吸血昆虫内で培養されている、寄生生物。
【請求項６１】
前記昆虫が、無菌的である、請求項６０に記載のワクチン。
【請求項６２】
前記昆虫が、濾過した空気、滅菌水および滅菌栄養を含む滅菌環境において表面を滅菌した卵から成長した昆虫である、請求項６１に記載のワクチン。
【請求項６３】
前記昆虫が、Ａｎｏｐｈｅｌｅｓ種の蚊である、請求項６０に記載のワクチン。
【請求項６４】
前記単離された無菌的な弱毒化昆虫段階の寄生生物が、Ｐｌａｓｍｏｄｉｕｍ種スポロゾイトである、請求項６３に記載のワクチン。
【請求項６５】
前記Ｐｌａｓｍｏｄｉｕｍ種スポロゾイトが、Ｐ．ｆａｌｃｉｐａｒｕｍスポロゾイト、Ｐ．ｖｉｖａｘスポロゾイト、Ｐ．ｏｖａｌｅスポロゾイトおよびＰ．ｍａｌａｒｉａｅスポロゾイトからなる群より選択される、請求項６４に記載のワクチン。
【請求項６６】
無菌的なスポロゾイト段階のＰｌａｓｍｏｄｉｕｍ寄生生物を生成する方法であって、
ａ）中実の壁と気密シールとを備える蚊飼育チャンバを提供する工程であって、該壁は、滅菌した内部空間を収容し、かつ該壁は、濾過した空気の通過のために適合されており、該チャンバは、蚊血液供給ステーションを受容するように適合された第一サブチャンバおよび第二サブチャンバへと分離可能であり、該ステーションによって、該サブチャンバ内の蚊が、給餌され得る、工程；
ｂ）表面滅菌したＡｎｏｐｈｅｌｅｓ種の卵を該第一サブチャンバ中へと無菌的に移動させ、該卵の発達のために充分な無菌的幼虫飼育ブロスを提供する工程；
ｃ）該Ａｎｏｐｈｅｌｅｓ種を該第二部分チャンバへと無菌的に移動させる工程；
ｄ）該血液供給ステーションに無菌的血液ミールを提供する工程であって、該血液ミールは、生殖母細胞段階のＰｌａｓｍｏｄｉｕｍ寄生生物を含み、その結果、該蚊は、該血液ミールを消費し、それによって該Ｐｌａｓｍｏｄｉｕｍ寄生生物に感染する、工程；
ｅ）該蚊を切開して、該蚊の唾液腺から該スポロゾイト段階のＰｌａｓｍｏｄｉｕｍ寄生生物を抽出および精製する工程；
を包含する、方法。
【請求項６７】
請求項６６に記載の方法であって、前記寄生生物は、Ｐｌａｓｍｏｄｉｕｍ  ｆａｌｃｉｐａｒｕｍ、Ｐｌａｓｍｏｄｉｕｍ  ｖｉｖａｘ、Ｐｌａｓｍｏｄｉｕｍ  ｏｖａｌｅ、およびＰｌａｓｍｏｄｉｕｍ  ｍａｌａｒｉａｅからなる群より選択される、方法。
【請求項６８】
請求項６６に記載の方法であって、
Ｐｌａｓｍｏｄｉｕｍに感染した蚊の中にある寄生生物を弱毒化するためのＰｌａｓｍｏｄｉｕｍに感染した蚊の処理、
をさらに包含する、方法。
【請求項６９】
前記処理が照射である、請求項６８に記載の方法。
【請求項７０】
前記寄生生物がＰｌａｓｍｏｄｉｕｍ  ｆａｌｃｉｐａｒｕｍである、請求項６７に記載の方法。
【請求項７１】
無菌的Ａｎｏｐｈｅｌｅｓ種昆虫であって、該昆虫は、中実の壁と気密シールとを備える蚊飼育チャンバ中で無菌的卵から成長したものであり、該壁は、滅菌した内部空間を収容し、かつ該壁は、濾過した空気の通過のために適合されており、該チャンバは、無菌的幼虫飼育ブロスを備える、昆虫。
【請求項７２】
請求項７１に記載の昆虫であって、該昆虫は、該昆虫に無菌的Ｐｌａｓｍｏｄｉｕｍ種寄生生物を含む血液ミールを提供することによって、無菌的Ｐｌａｓｍｏｄｉｕｍ種寄生生物に感染させられている、昆虫。
【請求項７３】
前記寄生生物は、Ｐｌａｓｍｏｄｉｕｍ  ｆａｌｃｉｐａｒｕｍ、Ｐｌａｓｍｏｄｉｕｍ  ｖｉｖａｘ、Ｐｌａｓｍｏｄｉｕｍ  ｏｖａｌｅ、およびＰｌａｓｍｏｄｉｕｍ  ｍａｌａｒｉａｅからなる群より選択される、請求項７２に記載の昆虫。
【請求項７４】
請求項７２に記載の蚊の中で成長した、無菌的Ｐｌａｓｍｏｄｉｕｍ種寄生生物。
【請求項７５】
前記寄生生物は、Ｐｌａｓｍｏｄｉｕｍ  ｆａｌｃｉｐａｒｕｍ、Ｐｌａｓｍｏｄｉｕｍ  ｖｉｖａｘ、Ｐｌａｓｍｏｄｉｕｍ  ｏｖａｌｅ、およびＰｌａｓｍｏｄｉｕｍ  ｍａｌａｒｉａｅからなる群より選択される、請求項７４に記載の無菌的Ｐｌａｓｍｏｄｉｕｍ種寄生生物。
【請求項７６】
スポロゾイト段階へと成長した、請求項７４に記載の無菌的Ｐｌａｓｍｏｄｉｕｍ種寄生生物。
【請求項７７】
切開および昆虫の唾液腺のプールによって前記昆虫から取り出された、請求項７６に記載の無菌的Ｐｌａｓｍｏｄｉｕｍ種寄生生物。
【請求項７８】
前記寄生生物は前記蚊の内部で照射により弱毒化されている、請求項７６に記載の無菌的Ｐｌａｓｍｏｄｉｕｍ種寄生生物。
【請求項７９】
切開および昆虫の唾液腺のプールによって前記昆虫から取り出された、請求項７８に記載の無菌的Ｐｌａｓｍｏｄｉｕｍ種寄生生物。